(57)【要約】【課題】脚が人の邪魔になりにくくて座の回動操作も容易な４本足方式のネスティング椅子を提供する。【手段】脚１は前足７と後足８とを有しており、各足７，８は正面視と側面視との両方において傾斜している。前後の足７，８は収束部７ｃ，８ｃに連続しており、足の収束部７ｃ，８ｃからＵ字状の背フレーム２が立ち上がり、背フレーム２に座３と背もたれ４とが取付けられている。座３はその後部を中心にして跳ね上げ回動できるように背フレーム２に連結されている。背フレーム２には倒した状態の座３を支えるストッパー１８が設けられている。背フレーム２と脚１とは座３の下方に空間に向いて収束しており、このため横や後ろを通る人の鞄類が当たることを抑制できる。座３はその周縁のうちのどこに手を掛けても回動操作できる。【選択図】図１
2009106423.tif 000002
【特許請求の範囲】
【請求項１】
座と背もたれと脚と背フレームを主要要素として構成されており、
前記脚は前後左右４本の足とこれら４本の足がその上端において集まる収束部とを有しており、前記各足は、正面視及び側面視において上から下に行くに従って外側に広がるように傾斜又は湾曲しており、
更に、前記脚の収束部から背フレームが上向きに延びており、前記背フレームに座と背もたれとが取付けられており、前記座と脚の収束部との間には間隔が空いている、
椅子。
【請求項２】
前記脚の収束部は正面視では左右方向に延びる形態であり、このため左右２本の前足と収束部及び左右２本の後足と収束部とでそれぞれ正面視略台形の形態が形成されており、更に、側面視において前足と後足とで逆Ｖ形の形態が形成されており、２本の前足の左右間隔を２本の後足の左右間隔に対して全体にわたって狭めるか又は広げることにより、前後に並べた椅子の脚が互いに嵌まり合うことを許容している一方、
前記背フレームは、収束部から立ち上がって座の左右外側を通って上向きに延びると共に側面視で後傾したサイド支柱を有しており、前記座がその後部を中心にして跳ね上げできるように左右サイド支柱に連結されており、このため座の後部が背フレームの後方にはみ出ている、
請求項１に記載した椅子。
【請求項３】
前記左右の前足と左右の後足とはそれぞれ正面視横長の収束部を介して一体に繋がっており、このため前足及び後足は収束部と組合わさってそれぞれ正面視略台形の形態になっている一方、
前記背フレームは左右横長の下水平部を有していて正面略Ｕ字状又は上向き開口コ字状に形成されており、前後足の収束部と背フレームの下水平部とが束ねた状態で一体に固着されている、
請求項１又は２に記載した椅子。
【発明の詳細な説明】
【技術分野】
【０００１】
本願発明は、４本足方式の脚を有する非回転式椅子に関するもので、特に、座を跳ね上げ回動すると前後に並べて嵌め合わせできるようになっているタイプの椅子を好適な対象にしている。
【背景技術】
【０００２】
脚を４本足方式にした背もたれ付き椅子は、例えば会議室や講演会場を初めとしてオフィスや各種店舗、各種施設（或いは家庭）で広く使用されている。この種の椅子は不使用時には倉庫等に保管しておくことも多く、そこで、前後方向の嵌め合わせ（ネスティング）又は（／及び）上下の積み重ね（スタッキング）が可能になっているものも多い。ネスティングできる椅子の一例が特許文献１に開示されている。
【０００３】
特許文献１においては、前後左右４本の足は、側面視において前足は後傾して後足は前傾しており、左右の前後足の上端は上水平部によって一体に繋がっている（従って脚は側面視で略台形の形態になっている）。更に、左右の上水平部はその前部寄りの部位において横長ステーで一体に連結されている。また、２本の後足は座の上方に突出する上向き延長部を有しており、この上向き延長部にブラケットを介して座と背もたれとが取付けられている。座は水平に倒すと脚の上水平部で支持されるようになっている。更に、２本の前足の左右間隔を２本の後足の左右間隔よりも狭めることにより、座を跳ね上げるとネスティングできるようになっている。
【特許文献１】特開２００１−１２８７７６号公報
【発明の開示】
【発明が解決しようとする課題】
【０００４】
既述のとおり、４本足方式の椅子は例えば講演会場のような広いスペースに縦横に多数並べて使用することが多いが、特許文献１のタイプでは、平面視及び正面視で各足が座の左右側端近くに位置していてしかも座の下面まで延びているため、椅子の足がかなり目立って人に圧迫感を与える虞があった。
【０００５】
また、脚の足が座の下面まで延びているため、椅子の横を鞄や袋を提げた人が通るに際しては鞄や袋が足の上部に当たり易いという問題や、人が椅子の列と列との間を横移動するに際して足や鞄類が椅子の後足又は前足に引っ掛かりやすいという問題、或いは、着座した人が前の椅子の後足が邪魔になるという問題があった。
【０００６】
更に、人は着座した状態で座の左右縁部を掴んで腕を突っ張るような姿勢を採ることがあるが、特許文献１では脚の上水平部が座の下面に密接しているため、指が脚の水平部に触れて人に違和感を与える虞もあった。また、座を跳ね上げるに際しては椅子における脚の上水平部よりも前の部分に手を掛けねばならず、同様に、跳ね上げた座を倒すに際しても指を脚の上水平部と座とで挟まないように座の前端部を持たねばならず、このため座の回動操作が面倒であるという問題もあった。
【０００７】
本願発明はこのような現状に鑑み成されたものであり、より改良された形態・構造の４本足方式椅子を提供せんとするものである。
【課題を解決するための手段】
【０００８】
本願発明に係る椅子は、座と背もたれと脚と背フレームを主要要素として構成されている。そして、前記脚は前後左右４本の足とこれら４本の足がその上端において集まる収束部とを有しており、前記各足は、正面視及び側面視において上から下に行くに従って外側に広がるように傾斜又は湾曲しており、更に、前記脚の収束部から背フレームが上向きに延びており、前記背フレームに座と背もたれとが取付けられており、前記座と脚の収束部との間には間隔が空いている。
【０００９】
本願発明は様々に展開することが可能であり、その例を請求項２，３で示している。このうち請求項２の発明は、請求項１において、前記脚の収束部は正面視では左右方向に延びる形態であり、このため左右２本の前足と収束部及び左右２本の後足と収束部とでそれぞれ正面視略台形の形態が形成されており、更に、側面視において前足と後足とで逆Ｖ形の形態が形成されており、２本の前足の左右間隔を２本の後足の左右間隔に対して全高にわたって狭めるか又は広げることにより、前後に並べた椅子の脚が互いに嵌まり合うことを許容している一方、前記背フレームは、収束部から立ち上がって座の左右外側を通って上向きに延びると共に側面視で後傾したサイド支柱を有しており、前記座がその後部を中心にして跳ね上げできるように左右サイド支柱に連結されており、このため座の後部が背フレームの後方にはみ出ている。
【００１０】
請求項３の発明では、請求項１又は２において、前記左右の前足と左右の後足とはそれぞれ正面視横長の収束部を介して一体に繋がっており、このため前足及び後足は収束部と組合わさってそれぞれ正面視略台形の形態になっている一方、前記背フレームは左右横長の下水平部を有していて正面略Ｕ字状又は上向き開口コ字状に形成されており、前後足の収束部と背フレームの下水平部とが束ねた状態で一体に固着されている。
【００１１】
なお、本願発明では足が傾斜又は湾曲している形状（或いは姿勢）を特定しているが、これは、足の全高のうちの全体が傾斜又は湾曲している場合と、大部分が傾斜又は湾曲している場合と、及び、全高さのかなりの部分（半分以上）が傾斜又は湾曲している場合との三者を含んでおり、実施形態から理解できるように、足の下部は鉛直姿勢であっても差し支えない。
【発明の効果】
【００１２】
本願発明では、脚と座との間に間隔が空いていることと、脚を構成する各足が上から下に向けて外広がりになっていることとにより、座の周囲の部分と各足との間にかなりの空間が空いており、この空間の存在により、人に圧迫感・窮屈感を与えることがなくてスッキリとしていると共に、椅子の横や後ろを人が通るに際して人の足や鞄類が椅子の足に当たったり引っ掛かったりすることを防止又は著しく抑制することができ、また、椅子を前後に並べた状態で使用者が足を組んだ状態で足が前の椅子の脚に当たることも抑制できる。すなわち椅子の足が人の邪魔になるという問題を著しく改善できるのである。
【００１３】
また、座の周囲の箇所は背フレームとの取付け箇所を除いて下方に空間が空いているため、人が着座した状態で座の左右縁部を掴んで腕を突っ張るような姿勢を採っても手が脚に当たることはなく、このため人に違和感を与えるような問題は生じない。同様に、座を跳ね上げるに際しても倒すに際しても、背フレームへの取付け箇所を除いたどの部分にも手を掛けることができるため、座の回動操作の容易性と安全性とを格段に向上させることができる。
【００１４】
請求項２のように構成すると、椅子は座を跳ね上げることで前後にネスティングすることができるが、脚を構成する前後の足が側面視で逆Ｖ形であることにより、前後の椅子の嵌め込み深さを深くすることができ、その結果、保管場所の省スペース化を向上できる。また、座の後部が背フレームのサイド支柱の後方にはみ出ている（オーバーハングしている）ことにより、サイド支柱のうち少なくとも座が取り付く部分は着座者の腰部の左右外側に位置しており、このため身体が包まれるような状態になっていて人に安定感を与える効果も発揮し得る。
【００１５】
本願発明においては、脚と背フレームとより成る骨組みの全体をダイキャスト又は樹脂成形によって一体成形品として製造したり、或いは、脚はその全体を一体成形品としてこれに背フレームを固着（固定する）といったことも可能であるが、請求項３の構成を採用すると、椅子の骨組みが前足部と後足部と背フレームとの３つの部材によって構成されることになり、すると、各部材は例えばパイプを主要材料として容易に製造できるため、製造設備のコスト抑制と椅子の軽量化とに貢献できる。
【発明を実施するための最良の形態】
【００１６】
次に、本願発明の実施形態を図面に基づいて説明する。図１〜図６では第１実施形態（主たる実施形態）を示しており、図７，８では他の実施形態を示している。以下、第１実施形態から順次説明する。
【００１７】
(1).第１実施形態に係る椅子の構造
まず、図１〜図５に基づいて第１実施形態に係る椅子の概要を説明する。図１は全体の斜視図、図２のうち（Ａ）は正面図で（Ｂ）は平面図で（Ｃ）は側面図、図３は底面図、図４はネスティング状態を示す側面図、図５は分離正面図である。
【００１８】
椅子は、主要要素として脚１と背フレーム２と座３と背もたれ４を備えており、座３と背もたれ４とは背フレーム２に取付けられている。また、背フレーム２にはオプション品としての肘掛け５も取付けている。背フレーム２は脚１の上端に固着されており、座３は脚１よりも上方の部位において後部を中心に跳ね上げ回動し得るように背フレーム２に取付けられている。従って、脚１の上端と倒した状態の座３との間にはある程度の寸法（例えば数ｃｍ〜１０ｃｍ程度）の空間６が空いている。
【００１９】
脚１は、左右２本の前足７と左右２本の後足８とを有している。各足７，８の上端は水平部７ａ，８ａになっていて下端は下鉛直部７ｂ，８ｂになっており、自由端である下端（先端）の鉛直部７ｂ，８ｂにキャスタ９を取付けている。
【００２０】
前足７は、上水平部７ａと下鉛直部７ｂとを除いた大部分が側面視では後傾姿勢で正面視では上から下に向けて外側に広がる傾斜姿勢になっており、従って、左右の前足７は正面視ハの字の形態になっている。また、後足８は、上水平部８ａと下鉛直部８ｂとを除いた大部分が側面視では後傾姿勢で正面視では上から下に向けて外側に広がる傾斜姿勢になっており、従って、左右の後足８は正面視（或いは背面視）でハの字の形態になっている。従って、図３から理解できるように各足７，８は平面視（或いは底面視）で概ね放射方向に延びている。
【００２１】
左右の前足７と左右の後足８とはそれぞれ上水平部７ａ，８ａを含む収束部７ｃ，８ｃを介して一体に連結（結合）されており（連結構造は後述する）、前足７の収束部７ｃと後足８の収束部８ｃとは互いに密着した状態に固着されている。従って、前足７と後足８とで側面視でＶ形（或いはくの字形）の形態が構成されている。収束部７ｃ，８ｃにはカバー１０を設けている。
【００２２】
各足７，８は、一端と他端とがストレートで大部分はテーパ状になっている金属パイプを材料にして製造されており、テーパ部と大径のストレート部を楕円形に潰し変形している。
【００２３】
例えば図２（Ａ）から明らかなように、前足７の間隔は後足８の左右間隔よりも全体に小さくなっている。このように前足７の間隔が後足８の間隔よりも小さいことにより、座３を跳ね上げると図４に示すように多数の椅子を前後にネスティングすることができる。すなわち、前に位置した椅子における左右後足８の間に後ろに位置した椅子の前足７を嵌め入れることができる。
【００２４】
なお、ネスティング状態での前後椅子の間隔（ネスティングのピッチ）は、前後椅子の座３と背もたれ４とが当たることよって規定されている。前足７の左右間隔を後足８の左右間隔よりも大きくすることによってもネスティングは可能であるが、着座した人が背もたれ４に凭れ掛かった状態での安定性の確保という点からは、後足８の左右間隔を前足７の左右間隔よりも大きくするのが好適であると言える。
【００２５】
背フレーム２は、座３の左右外側に配置された２本のサイド支柱２ａとこれらの下端に連続した傾斜部２ｂと傾斜部２ｂに連続した下水平部２ｃとを有しており、全体として正面視Ｕ字状の形態になっている（傾斜部２ｂはサイド支柱２ａの一部と観念することも可能である。）。背フレーム２は断面楕円形のパイプ（オーバル管）から成っており、サイド支柱２ａの箇所では前後に長い楕円形になっている。
【００２６】
背フレーム２は側面視で後傾姿勢になっており、下水平部２ｃが前後足７，８の収束部７ｃ，８ｃに溶接によって固着されている（具体的な構造は後述する）。また、背フレーム２における左右サイド支柱２ａの上端には支持ピン１１を上向きに突設しており、この支持ピン１１を利用して肘掛け５と背もたれ４とを取付けている。
【００２７】
背もたれ４は、前記支持ピン１１に嵌め込み装着されたアウター部材（アウターシェル）１２と、アウター部材１２の前面のうち略下半分を覆う下カバー１３と、アウター部材１２の前面のうち略上半分を覆う上カバー１４とを主要部材としている。アウター部材１２の上半部には大きな窓穴１５が空いている一方、上カバー１４は後ろ向き荷重によって容易に延び変形し得るエラストマー材からなっており、このため着座した人に高いクッション性を付与できる。アウター部材１２の上端と上カバー１４との間には、上カバー１４が延び変形することを許容するための隙間が空いている（上カバー１４の伸び変形はアウター部材１２の上端部で規制される）。
【００２８】
アウター部材１２と下カバー１３とはＰＰのような樹脂からなっており、下カバー１３は基本的には背もたれ荷重で変形はしない。なお、上下のカバー１３，１４を使用せずに樹脂製のインナーシェルにクッションを張った構造とすること、下カバー１３を使用せずにアウター部材１２に上カバー１４のみを取り付けること、或いは、アウター部材１２を窓穴１５が存在しない形態にしてこれにクッションを張るといったことも可能である。
【００２９】
左右のサイド支柱２ａの下端部には相対向する横向き支軸１６を突設している。他方、座３は、その下面を構成するアウターカバー１７と、上面にクッションが張られたインナーシェル（図示せず）、及び、アウターカバー１７とインナーシェルとの間に配置した平面視環状の金属製補強フレーム（芯部材）とを備えており、補強フレームがボルト等によって横向き支軸１６に連結されている。
【００３０】
つまり、補強フレームが着座による荷重を支える強度メンバーとして機能しており、アウターカバー１７はインナーシェルの取付け機能と補強フレーム等を隠す美粧機能とを主たる機能としている。なお、アウターカバー１７には横向き支軸１６の貫通を許容する穴が空いている。なお、座３の取付け構造としては、サイド支柱２ａに外側から挿入した支軸を座３に嵌入するといったことも可能である。
【００３１】
座３はその後部がサイド支柱２ａに連結されており、このため、座３の後部は部分的にサイド支柱２ａの後方にはみ出ている（正確には、座３はサイド支柱２ａのうち横向き支軸１６のある部分から後方にはみ出ている。）。また、背フレーム２の左右傾斜部２ｂには、座３をその回動支点よりも手前において下方から支持するストッパー１８が溶接によって固着されている。例えば図２から理解できるようにストッパー１８は全体として左右横長の姿勢になっており、ある程度の左右長さで座３を支持している。詳細は省略するが、補強フレームがアウターカバー１７を介してストッパー１８で支持されるように配慮されている。
【００３２】
なお、座３の構造や連結態様は任意に設定できる。例えば、前後方向に長いブラケットをサイド支柱２ａに回動自在に連結して、このブラケットで座３を支持するといったことも可能である。また、倒し姿勢の座３を支えるストッパー１８は図２（Ｃ）に一点鎖線で示すように前足７に設けることも可能である。
【００３３】
前後足７，８の収束部７ｃ，８ｃの具体的構造は図６に示している。すなわち、図６のうち（Ａ）は正面図、（Ｂ）は分離正面図、（Ｃ）は（Ａ）のＣ−Ｃ視断面図であり、この図６に示すように、左右の前足７及び左右の後足８はそれぞれ横軸１９によって一体に連結されており、これら横軸１９を補助板２０に貫通すると共に溶接にて固着し、そして補助板２０と背フレーム２の下水平部２ｃとを溶接によって一体に固着している。
【００３４】
軸１９は足７，８の上水平部７ａ，８ａに嵌め込み溶接したブッシュ２１に溶接で固着されている。従って、本実施形態では、前足７と後足８との収束部７ｃ，８ｃは上水平部７ａ，８ａと横軸１９と補助板２０とブッシュ２１とで構成されている。横軸１９と補助板２０とはカバー１０で覆われており、カバー１０は補助板２０に外接している。前後足７，８の上水平部７ａ，８ａとの相互間、及び、前後足７，８の上水平部７ａ，８ａと背フレーム２の下水平部２ｃとの相互間を溶接によって固着することも可能である。また、補助板２０に代えてブロック体を設けることも可能である。
【００３５】
また、左右の前足７と収束部７ｃ、及び、左右の後足８と収束部８ｃとをそれぞれ１本のパイプで一体物に製造することも可能である。すなわち、前足７と後足８とを背フレーム２のような構造とするとも可能である。この場合は、左右前足７及び左右後足８に連続した収束部と背フレーム２の下水平部２ｃとを束ねた状態に固着したら良い。前足７の収束部７ｃと後足８の収束部８ｃは背フレーム２の下水平部２ｃとを一つの芯部材に重ね合わせて、各収束部７ｃ，８ｃと下水平部２ｃとを芯部材にボルトや溶接で固着することも可能である。
【００３６】
(2).第１実施形態のまとめ
脚１と座３との間に空間が空いており、しかも、脚１を構成する足７，８は正面視及び側面視で傾斜しているため、脚１のボリュームの占有スペースは特許文献１に比べて格段に小さくなっており、このため人が圧迫感や窮屈感を受けることを著しく抑制できる。また、座３の左右側部と脚１との間には大きな空間６が空いているため、人が椅子の横を通るに際して鞄類が足７，８に引っ掛かる現象を著しく抑制できる。
【００３７】
また、背フレーム２と後足８とは側面視でくの字の形態になっており、これによって座３と後足８との間には大きな空間が空いているため、椅子の列と列との間を人が通るに際して鞄類が後足８に当たったり引っ掛かったりすることを著しく抑制できる。
【００３８】
ところで、前後に並べた椅子に腰掛けた人が足を組むと、上に位置した片足が前の椅子の背面部の右端部又は左端部に位置することになり、このため特許文献１の構成では靴が前に位置した椅子の後足に当たることが多く、このため２列目以降の椅子に腰掛けた人は足を組みにくいという問題があるが、本実施形態では後足８と座３との間には大きな間隔が空いていてしかも後足８は前傾姿勢であるため、２列目以降の椅子に腰掛けた人も足を組み易い。この点も本実施形態（本願発明）の利点である。
【００３９】
座３は左右サイド支柱２ａの内側に位置していので、図４に示すように、座３を跳ね上げると座３はその後部が下向きの姿勢になる。従って、背フレーム２は跳ね上げられた座３と干渉しないように配慮せねばならない。そして、図２（Ｂ）に示すように座３の後部は平面視で外向き凸に湾曲している一方、背フレーム２は傾斜部２ｂを有して正面視で略Ｕ字状になっており、このため、座３の跳ね上げ回動を阻害することなく背フレーム２の下部を座３の下方に入り込ませることができるのであり、これにより、人が椅子の横を通るに際して鞄類が背フレーム２の下部に当たることも抑制できる。
【００４０】
本実施形態では、前後足７，８の収束部７ｃ，８ｃと背フレーム２の下水平部２ｃとが束ねられた状態になっているが、この形態によると脚１の上部がスッキリとコンパクト化されるため、美観に優れている。この点も本実施形態の利点である。
【００４１】
(3).第２〜第４他の実施形態（図７）
図７では脚１の別例である第２〜第４実施形態を示している。このうち（Ａ）に示す第２実施形態は、前足７と後足８と背フレーム２とが一つの収束部２３を介して一体化されている。すなわち、一つの収束部２３を共通要素として、この収束部２３から前足７と後足８と背フレーム２とが一体に延びている。この実施形態は、脚１と背フレーム２とから成る骨組みが一体品になっており、具体的には、アルミダイキャストや樹脂の射出成形によって製造することができる。
【００４２】
図７（Ｂ）に示す第３実施形態では、前足７と後足８とは共通の収束部２４を介して一体成形品と成し、収束部２４に背フレーム２を固定している。固定手段としては、背フレーム２の下水平部２ｃにブロック状等のボス体２５を溶接等によって一体に固着し、ボス体２５を収束部２４に形成した位置決め穴２６に嵌め込んでボス体２５と収束部２４とをボルト２７で締結している。収束部２４と下水平部２ｃとは溶接によって一体化することも可能である。
【００４３】
図７（Ｃ）に示す第４実施形態では、共通した一つの収束部２８に背フレーム２の下部２ｄと前後足７，８の上部７ｄ，８ｄとが一体に設けられたベース体２９を製造し、ベース体２９に背フレーム２のサイド支柱２ａと前後足７，８とを嵌め込み装着している。従って、本実施形態では脚１と背フレーム２とは部分的に一体構造になっている。
【００４４】
ベース体２９は例えばアルミダイキャスト製品であり、背フレーム２の下部２ｄと前後足７，８の上部７ｄ，８ｄとにはそれぞれサイド支柱２ａや足７，８を取り付けるためのボス体３０が一体に形成されている。サイド支柱２ａや足７，８はパイプ製である。ストッパー１８は別部材として製造して溶接している。
【００４５】
(4).第５〜第６実施形態（図８）
図８では、椅子の骨組みの変形例である第５〜第６実施形態を示している。このうち（Ａ）は第５実施形態の模式的な正面図、（Ｂ）は（Ａ）の模式的な側面図であり、この実施形態では、各足７，８を正面視及び側面視で円弧状に湾曲した形態と成している点に特徴がある。左右の前足７と左右の後足８とはそれぞれ収束部７ｃ，８ｃを介して一体に連結されている。
【００４６】
各足７，８は、側面視では湾曲して正面では直線状に傾斜姿勢と成すことや、正面視では湾曲して側面視では直線状に傾斜姿勢と成すことも可能である。或いは、例えば、側面視において後足８は湾曲して前足７は直線状に傾斜するというように、直線状の傾斜形状と湾曲形状とを任意に組み合わせることも可能である。
【００４７】
（Ｃ）〜（Ｅ）は第６実施形態を示しており、（Ｃ）は第６実施形態の模式的な正面図、（Ｄ）は（Ａ）の側面図、（Ｅ）は模式的な部分斜視図である。この実施形態では、左の前足７と後足８、及び、右の前足７と後足８はそれぞれ前後長手の上水平部３１を介して一体に連続している一方、背フレーム２は平面視コ字形の下基枠３２を有しており、下基枠３２のサイドメンバー３２ａに脚の上水平部３１を溶接やボルト締結等で固着（或いは固定）している。
【００４８】
従って、この実施形態では脚１の上水平部３１と背フレーム２の下基枠３２とが収束部を構成している。背フレーム２の下基枠３２にはストッパー１８と補強バー３３とが溶接によって固着されている。
【００４９】
(5).その他
本願発明は上記の実施形態の他にも様々に具体化できる。例えば、背フレームは正面視で環状に形成してネットを張るということも可能である。また、座をネット構造にすることも可能である。収束部は前足と後足と背フレームとが集まっている部分という意味であり、従って、様々の形態を採用できる。例えば収束部を平面視円形や四角形とすることも可能である。
【図面の簡単な説明】
【００５０】
【図１】第１実施形態に係る椅子の斜視図である。
【図２】（Ａ）は正面図で（Ｂ）は平面図で（Ｃ）は側面図である。
【図３】椅子の底面図である。
【図４】ネスティング状態を示す側面図である。
【図５】椅子の分離正面図である。
【図６】骨組みの連結構造を示す図である。
【図７】第２〜第４実施形態を示す図である。
【図８】第５〜第６実施形態を示す図である。
【符号の説明】
【００５１】
１  脚
２  背フレーム
２ａ  サイド支柱
２ｃ  下水平部
３  座
４  背もたれ
６  座と足との間の空間
７  前足
７ｃ，８ｃ，２３，２４，２８  収束部
８  後足
１６  横向き支軸
１８  ストッパー
【図１】
2009106423.tif 000003
【図２】
2009106423.tif 000004
【図３】
2009106423.tif 000005
【図４】
2009106423.tif 000006
【図５】
2009106423.tif 000007
【図６】
2009106423.tif 000008
【図７】
2009106423.tif 000009
【図８】
2009106423.tif 000010